(57)【特許請求の範囲】
【請求項１】
ゲーム機本体の前面下方にコイン払出装置から払出されたコインを受け入れるコイン皿を有するコインゲーム機において、前記コイン皿は上面が開口した箱形の支持枠体とコインを受け入れる容器体とからなり、前記支持枠体は前側壁と巾広に形成された左右側壁と底壁とからなり前記支持枠体の一側壁を開閉可能に形成し、前記容器体を前記支持枠体に収容可能な上面で開口した箱体に形成すると共に、左右両側に前記左右側壁内に収まる把持部を設け、前記支持枠体の開放側から前記容器体を着脱可能に装着させるように構成したことを特徴とするコインゲーム機のコイン皿。
【請求項２】
前記容器体の内底面を凹凸面に形成した請求項１記載のコインゲーム機のコイン皿。
【発明の詳細な説明】
【０００１】
【発明の属する技術分野】
本発明は、スロットマシンなどのようにコインが払い出されるコインゲーム機のコイン皿の改良に関するものである。
【０００２】
【従来の技術】
従来、この種のコインゲーム機のコイン皿はゲーム機本体の下部前面に設けられて、コイン払出装置からのコインを受け入れるようになっている。そしてコインが溜ったときやゲームを終えるときはコイン皿のコインを何回も指で掻き寄せて、コイン皿の前側壁を乗り越えさせて別の運搬用容器に移し替えている。このために、コイン皿はコインを取り出し易くするように周壁を低く、つまり浅く作られていてコインを収容できる容量が限られていた。
【０００３】
【発明が解決しようとする課題】
しかしながら、ゲームでいわゆる「大当たり」が出現して大量のコインが払い出されると忽ちコイン皿からコインが溢れ、ゲームを中断してコインを取り出さねばならないために著しくゲームの興趣を損なうことになる。また、貯ったコインを運搬用容器に移し替えるためにコイン皿から何回も掻き出さねばならず、その手間が大変面倒でしかも最近増えた女性客の爪が割れたり傷ついたりするという問題があった。
そこで本発明は、コイン皿からコインを一々手で掻き出して運搬用容器に移し替えることなく一気に運搬用容器に移し替えることができるコイン皿を提供することを目的としている。
【０００４】
【課題を解決するための手段】
上記目的を達成するために本発明に係わるコインゲーム機のコイン皿は、上面が開口した箱形の支持枠体とコインを受け入れる容器体とからなり、前記支持枠体は前側壁と巾広に形成された左右側壁と底壁とからなり前記支持枠体の一側壁を開閉可能に形成し、前記容器体を前記支持枠体に収容可能な上面で開口した箱体に形成すると共に、左右両側に前記左右側壁内に収まる把持部を設け、前記支持枠体の開放側から前記容器体を着脱可能に装着させるように構成した。
【０００５】
また、前記容器体の内底面を凹凸面に形成することで、コイン皿に収容されて内底面に接するコインの少なくとも一部が内底面から浮き上がって指先に掛かり易くし、ゲーム中に残り少なくなったコインを取り出す際に指で掻き出し易くした。
【０００６】
前記容器体の一側壁に他の容器にコインを移し替え易くする湾曲部を設けるのが好ましい。
【０００７】
【発明の実施の形態】
以下に本発明に係わるコインゲーム機のコイン皿の実施の形態を図面と共に説明する。図１は本発明が適用されるスロットマシンの斜視図、図２は断面図である。スロットマシンのゲーム機本体１には上部に３個のリール２，２，２が横並びに配列され、その下方にコイン投入口３とスタートレバー４及び３個のストップボタン５，５，５が配置される。そして、ゲーム機本体１の下部中央にコイン払出装置６から払出されるコインの払出口６ａが設けられ、このコイン払出口６ａの下方にコイン皿７が設けられる。
【０００８】
しかして、該コイン皿７は図３に示すように上面が開口した箱状の支持枠体８とコイン払出装置６から払い出されたコインを受け入れる容器体９とから構成され、支持枠体８に容器体９が着脱自在に形成される。前記支持枠体８は前側壁１０と巾広に形成された左右側壁１１，１２と底壁１３とからなり、左右側壁１１，１２内側には前記箱体９の把持部２０，２０が嵌挿される嵌合溝１４，１４を水平に形成している。また、前記前側壁１０は該前側壁１０下端に設けた軸受部１５，１５と底壁１３の下面に設けた軸受板１６，１６とに軸ピン１７，１７で開閉自在に設けられる。なお軸受部１５，１５の先端には前側壁１０の開成状態を規制する規制突部１５ａ，１５ａが設けられている。
【０００９】
一方前記支持枠体９は、四方側壁１８ａ〜１８ｄと底壁１９とから上面で開口した長方形の箱状に形成され、容器体９の上端面は支持枠体８の上端面とほぼ合致するように形成される。そして、左右側壁１８ｂ，１８ｄの外側面で容器体９の開口面より下部に把持部２０，２０を水平に突設している。これらの把持部２０，２０は後側壁１８ｃに向う先端部の上面と外側面をそれぞれテーパ面２０ａ，２０ａとして先細状に形成し前記嵌合溝１４，１４に嵌め易くしている。
又、底壁１９の内底面を図６に示すように凸部２１ａと凹部２１ｂとを交互に設けた凹凸面２１に形成している。なお、凸部２１ａと凹部２１ｂのピッチは図６に示すようにコインＣの直径より小さく設定することで、内底面に接するコインＣの少なくとも一部が確実に浮き上がって指先Ｆが掛かり易く、コインＣが容易に掻き寄せることができるようにしている。
【００１０】
２２は前記前側壁１０を起立又は前傾させる操作部材である。この操作部材２２は摘み２３の内側面に係合部２４を突設し、該係合部２４を一方の側壁１２に前端を開放して水平に設けた切込溝２５に挿通させ、該側壁１２の内側に設けた収容空間２６に臨ませ、コイルばね２７でゲーム機本体１側へ牽引させる。そして、係合部２４の下部に設けた係止片２８に一方の軸受部１５に一体に突設した係合突起２９を係止させることで前側壁１０を起立保持させる。
【００１１】
このように起立保持させた前側壁１０は、図７鎖線に示すように摘み２３をつまんで操作部材２２を上向回動させると、係合部２４の上面に設けた傾斜面２４ａが側壁１２に設けた切込溝２５の天面２５ａに接して操作部材２２の全体を図５の点線位置から鎖線位置へ傾動させ、前記係止片２８と係合突起２９の係止を解除して前側壁１０を図７鎖線に示すように前方へ倒し、支持枠体８の前側面を開放することができる。
【００１２】
上記構成からなる本実施の形態のコイン皿７は、前側面を開放した状態で左右側壁１１，１２に設けた嵌合溝１４，１４に容器体９の把持部２０，２０を嵌挿させて容器体９を支持枠体８内に収容させ、該支持枠体８の前側壁１０を起こし、係合突起２９のテーパ面２９ａで操作部材２２の係合部２４をコイルばね２７の付勢に抗して図７鎖線で示す位置に上動させ、前側壁１０が閉まると同時にコイルばね２７の付勢により図７実線の位置に係合部２４が戻り係合突起２９と係合部２４が係止され前側壁１０が閉じられた状態で保持される。
【００１３】
次に本発明のコイン皿７の使用方法を説明する。まずスロットマシンのコイン投入口３にコインを投入した後、スタートレバー４を操作して３個のリール２，２，２を回転させ、次いでストップボタン５，５，５を順次押してそれらに対応する前記リール２，２，２を順次停止させ、その際のリール２，２，２の各外周面に表示した図柄の組み合わせが、一定の有効図柄の組み合わせになると所定枚数のコインをコイン払出装置６から払い出し、コイン皿７に受けるようになっている。
【００１４】
そして、払い出されたコインＣを図５に示すように取り出してゲームを続行し、前記リール２，２，２の図柄の組み合わせが例えば「７，７，７」のような大当りの組み合わせになると、大量のコインＣがコイン皿７の容器体９内に払い出される。そしてこのように払い出されたコインＣを別の運搬容器に移し替えるには、操作部材２２を上向回動して係止片２８と係合突起２９の係止を解除して前側壁１０を軸ピン１７，１７を軸として手前に倒し、支持枠体８の前方を開放する。そして大量のコインＣが貯えられた容器体９を図５鎖線に示すように手前に引き出し把持部２０，２０を持ち運搬容器に一気に移し替えることができる。また図８に示すように一側壁例えば後壁９ｃを湾曲に形成することにより運搬容器への移し替えが楽にできる。
【００１５】
そしてコインＣを移し替えた容器体９は前述したように把持部２０，２０を支持枠体８の嵌合溝１４，１４に嵌挿させて支持枠体８内に収納し、前側壁１０を起立させる。
【００１６】
このように支持枠体８の一側を開放できるようにし、容器体９を別体に形成し水平方向に取り出せるようにしたことにより、運搬用容器への移し替えが容易にでき、容器体９の高さをコイン皿７の上部のコイン払出口６ａの突出部まで高くすることができるのでコインの収容量も多くできる。また容器体９が収納された状態では、操作部材２２を動かさない限り、容器体９は把持部２０，２０が嵌合溝１４，１４によって上方への動きを規制して、しっかりと支持枠体８内に収まっている。
【００１７】
図９はコイン皿７の他の実施の形態を示した平面図である。この実施の形態では容器体９の左右側壁１８ｂ，１８ｄを後側壁１８ｃに向けて巾が狭くなるようにテーパを設けて形成し、これらのテーパに合わせて支持枠体８の左右側壁１１，１２の内側面もテーパを設けて形成することにより、支持枠体８に対して容器体９を装着し易くしている。
【００１８】
図１０ないし図１２に支持枠体８の前側壁１０を起倒させる構成の実施の形態を示す。この実施の形態では前側壁１０の長手方向両端で下端に固設した軸受部１５，１５と支持枠体８の底壁１３の下部の軸受片１６，１６を図１２に示すように軸ピン１７，１７で連結させている。そして前側壁１０には裏面に左右一対に基板３０，３０を横一線をなすように水平に設け、これらの各基板３０，３０には左右両端にピン３１，３１を突設する。さらに右側の基板３０より右寄りに通孔３２を開設し、該通孔３２の下方にねじ孔３３を設けている。また、左側の基板３０より左寄りにねじ孔３４，３５を間隔をあけて設けている。
【００１９】
３６は前側壁１０の横巾にほぼ等しい長さを持った作動杆であり、該作動杆３６には前側壁１０の裏面に左右一対の基板３０に突設したピン３１，３１をそれぞれ遊嵌させる長孔３７，３７を開設している。さらに作動杆３６には左右両端に段部３８，３８を介して平坦面部３９，３９を形成し、右端の平坦面部３９に２個、左端の平坦面部３９に１個の小孔４０，４１，４２を穿設している。そして、この作動杆３６を長孔３７，３７にそれぞれピン３１，３１を遊嵌させて前側壁１０の裏面に水平に沿わせる。
また図１１に示すように操作部材２２には前面に摘み２３を突設し、裏面に筒部４３を突出させ、この筒部４３を前側壁１０の前面から通孔３２に挿通させ、作動杆３６の右側に設けた平坦面部３９の小孔４０に挿通したビス４４で螺締させることで操作部材２２を前側壁１０の前面に取り付ける。
【００２０】
４５，４５は平面逆Ｌ形で左右一対をなす係止部材であり、それぞれ前面の上部にピン４６を突設し、下端部に小孔４７を穿設している。そして、一方の係止部材４５のピン４６を作動杆３６の右側に設けた平坦面部３９の小孔４１に嵌挿させ、小孔４７に挿通したビス４８を前記ねじ孔３３に螺締させ、該係止部材４５の左上部に突出する係止片部４５ａを図１２に示すように前記側壁１２の前端に設けた係合部２９に係止させる。
また、他方の係止部材４５のピン４６を作動杆３６の左側に設けた平坦面部３９の小孔４２に嵌挿させ、小孔４７に挿通したビス４８を前記ねじ孔３４に螺締させ、係止片部４５ａを前記側壁１１に設けた係合部２９に係止させる。
【００２１】
４９は作動杆３６を常に図１２で右方へ牽引させるコイルばねであり、該コイルばね４９は一端を前記ビス４８に係止させ、他端を前記ねじ孔３５に螺合させたビス５０に係止させて装着する。
そして、該コイルばね４９の牽引で常には係止部材４５，４５をそれぞれ係合部２９，２９に係止させ、前側壁１０を起立保持させる。
このように起立している前側壁１０は前面に突出している摘み２３をつまんで操作部材２２を図１２の左方へ移動させることで各係部材４５，４５が図１２鎖線位置へ傾動して係止片部４５ａ，４５ａの係合部２９，２９による係止を解除して前側壁１０を前方へ開放させることができる。この実施の形態による前側壁１０は、該前側壁１０の左右両方で係止するのでより一層しっかりと固定することができる。
【００２２】
図１３は支持枠体８の前側壁１０を起倒させる構成のさらに他の実施の形態を示す斜視図である。この実施の形態では前側壁１０の下端３ヶ所に固設した軸受部１５ａ，１５ｂ，１５ｃと底壁１３の下面に設けた軸受板１６ａ，１６ｂ，１６ｃとを間隔を隔てて軸ピン１７，１７，１７で軸支させ、軸受部１５ｂと軸受板１６ｂとの間隔にコイルばね５３を介装させて弾発付勢させると共に、これらのコイルばね５３は図１４に示すようにらせん部から突出する直線部分の一方を前側壁１０内部に挿入し他方を底壁１３に圧接させ、前側壁１０を起立方向に付勢させている。５１は前側壁１０上端に設けた切欠、５２は容器体９の側壁１８ａに設けた凹部である。
【００２３】
さらに、前側壁１０の裏面の上端寄りで左右一対に断面Ｌ形をなす係止片５４，５４を突設する。一方、前記側壁１１，１２の先端面に係合孔５５，５５を開設している。これらの係止片５４と係合孔５５の対向する先端縁は図１５に断面で示すように互いに対向する傾斜面に形成して、前側壁１０を側壁１１，１２に向けて押し付ける力に対応して前記コイルばね５３が延伸して係止片５４と係合孔５５の先端に対向させた傾斜面を互いに摺動し、係止片５４を係合孔５５に突入させる。そして係止片５４が係合孔５５に突入した状態では延伸した各コイルばね５３が収縮して図１５の状態のように係止片５４を係合孔５５に係止させ、前側壁１０を起立保持させる。
このように起立している前側壁１０は切欠５１に指を入れ凹部５２に示す矢印方向に移動させることで図１５鎖線に示すように係合孔５５による係止片５４の係止が解除されて前側壁１０を前方へ傾倒させ支持枠体８の前方を開放することができる。この実施の形態は前側壁１０の左右両側を固定できると共に、操作部材が不要となりしかも前側壁１０が自動復帰するので大変便利である。
【００２４】
図１６及び図１７に示したものは支持枠体８の右の側壁１２を開閉可能として該側壁１２を開放して支持枠体８に横方向から容器体９を出し入れできるようにした実施の形態である。この実施の形態のものは側壁１２を断面コ形状に形成し、その側壁１２の基端部１２ａを底壁１３の右端に支軸５６を介して軸支させる。
そして、該側壁１２の内側面の上端前部寄りにその前端に上向きの係止片部５７ａを設けた係止部材５７の基端側をビス５８を介して軸支させる。該係止部材５７は軸支位置よりの上端にコイルばね５９の一端を係止させ、該コイルばね５９の他端は側壁１２の内側面上端に係止させて、該コイルばね５９の牽引で係止部材５７を常に上向きに付勢させるようにする。一方、前側壁１０の右端にＬ形の係合凹部６０を切り欠き形成し、該係合凹部６０に係止部材５７を係止させることで側壁１２を起立保持させる。
【００２５】
このように起立している側壁１２は係止部材５７を押し下げることで係止片部５７ａと係合凹部６０による係止を解除して側壁１２を図１７に示す実線位置から鎖線位置へ移動して開放させることができ、容器体９を図１７実線から鎖線位置へ移動させて支持枠体８から取り外すことができる。
【００２６】
【発明の効果】
以上に述べたように本発明に係わるコインゲーム機のコイン皿は、容器体を支持枠体と別体に形成して、支持枠体の一側を開放可能とし容器体を水平方向に出し入れできる構成としたから、コイン皿を深く形成してコインの収容量を増加させることができるから、ゲームでいわゆる「大当たり」が出現して大量のコインが払い出されても十分に溜めておくことができ、ゲームを頻繁に中断してコイン皿からコインを取り出す必要がなく、ゲーム終了後に取り出した容器体から運搬用容器に一気にコインを移し替えることができるのでゲームを継続して十分に楽しむことができる。
また、容器体の内底面を凹凸面に形成することでコインが指先に掛かり易くなり、例えばゲーム中にコイン皿からコインを取り出す場合に容易に掻き寄せて取り出すことができる。
【図面の簡単な説明】
【図１】本発明のコイン皿を適用したコインゲーム機の斜視図。
【図２】コインゲーム機の断面図。
【図３】本発明の要部分解斜視図。
【図４】前側壁の係合部を示す分解斜視図。
【図５】コイン皿の平面図。
【図６】支持枠体にコイン皿を収容した状態の断面図。
【図７】支持枠体に対する前側壁の起倒の作用説明断面図。
【図８】実施の形態が異なるコイン皿の平面図。
【図９】実施の形態が異なるコイン皿の平面図。
【図１０】支持枠の異なる実施の形態を示す要部分解斜視図。
【図１１】前側壁の一部拡大斜視図。
【図１２】図１０に示す実施の形態の作用説明図。
【図１３】さらに支持枠の他の実施の形態を示す斜視図。
【図１４】図１３の一部拡大側断面図。
【図１５】図１３に示す実施の形態の一部断面図。
【図１６】さらに支持枠の他の実施の形態を示す一部拡大斜視図。
【図１７】図１６に示す実施の形態の一部断面図。
【符号の説明】
１            ゲーム機本体
６            コイン払出装置
７            コイン皿
８            支持枠体
９            容器体
１０          前側壁
１１，１２    側壁
２０，２０    把持部
２１          凹凸面
【図１】
0003965224.tif 000002
【図２】
0003965224.tif 000003
【図３】
0003965224.tif 000004
【図４】
0003965224.tif 000005
【図５】
0003965224.tif 000006
【図６】
0003965224.tif 000007
【図７】
0003965224.tif 000008
【図８】
0003965224.tif 000009
【図９】
0003965224.tif 000010
【図１０】
0003965224.tif 000011
【図１１】
0003965224.tif 000012
【図１２】
0003965224.tif 000013
【図１３】
0003965224.tif 000014
【図１４】
0003965224.tif 000015
【図１６】
0003965224.tif 000016
【図１５】
0003965224.tif 000017
【図１７】
0003965224.tif 000018